(57)【要約】【課題】半割体を合体状態に保持する手段である撓み係止片と係止突起とを係止させる際の作業性向上を図る。【解決手段】第１半割体１０の撓み係止片１７，１８，１９と第２半割体２０の係止突起２７，２８，２９との係止により両半割体１０，２０が合体状態に保持される。第２半割体２０には、両半割体１０，２０の合体方向と平行に連続して延びた形態のガイド部３０，３１，３２を設けた。両半割体１０，２０を合体させる際に、撓み係止片１７，１８，１９は、ガイド部３０，３１，３２への摺接により、第２半割体２０に対して位置決めされつつ合体方向と略同方向に移動することができるので、両半割体１０，２０が位置ずれすることなく確実に合体され、撓み係止片１７，１８，１９が確実に係止突起２７，２８，２９に係止される。【選択図】  図２
2004296122.tif 000002
【特許請求の範囲】
【請求項１】
ハウジングにおける電線の導出端部に電線カバーを取り付け、そのハウジングから導出した前記電線を前記電線カバーで包囲するようになっており、
前記電線カバーは、第１と第２の２つの半割体を有し、前記電線を包囲するように前記２つの半割体を合体させた形態とされ、
前記第１半割体には、前記第２半割体側に向かって前記第２半割体との合体方向と略同方向に突出する形態の撓み係止片が形成され、
前記第２半割体には、その前記第１半割体との合体方向と略平行な面から突出する係止突起が形成され、
前記撓み係止片と前記係止突起との係止により前記両半割体が合体状態に保持されるようになつているコネクタにおいて、
前記第２半割体には、前記２つの半割体の合体方向と平行に連続して延びた形態であって、合体の際に前記撓み係止片を摺接させるガイド部が形成されていることを特徴とするコネクタ。
【請求項２】
前記撓み係止片には、前記両半割体の合体方向と平行に連続して延びた形態の摺接部が形成され、前記両半割体が合体した状態では、前記摺接部が前記ガイド部に対して合体方向と平行な所定領域に亘って線接触又は面接触可能な構成としたことを特徴とする請求項１記載のコネクタ。
【請求項３】
前記ガイド部が、前記両半割体の合体方向と交差する方向に離間して一対設けられ、その一対のガイド部が前記撓み係止片を挟むようになっていることを特徴とする請求項２記載のコネクタ。
【請求項４】
前記２つの半割体は、夫々、互いに略直角をなす２つの外面を有する略Ｌ字形をなしており、
前記第１半割体における前記２つの互いに略直角な外面には、夫々、前記撓み係止片が形成され、
前記第２半割体における前記２つの互いに略直角な外面には、夫々、前記係止突起とガイド部とが形成され、
前記ガイド部における前記撓み係止片の進入端部には、その対をなす前記ガイド部間の幅を広げる形態の切欠部が形成されていることを特徴とする請求項３記載のコネクタ。
【請求項５】
ハウジングにおける電線の導出端部に取り付けられ、そのハウジングから導出した前記電線を包囲するものであって、
第１と第２の２つの半割体を有し、前記電線を包囲するように前記２つの半割体を合体させた形態とされ、
前記第１半割体には、前記第２半割体側に向かって前記第２半割体との合体方向と略同方向に突出する形態の撓み係止片が形成され、
前記第２半割体には、その前記第１半割体との合体方向と略平行な面から突出する係止突起が形成され、
前記撓み係止片と前記係止突起との係止により前記両半割体が合体状態に保持されるようになつている電線カバーにおいて、
前記第２半割体には、前記２つの半割体の合体方向と平行に連続して延びた形態であって、合体の際に前記撓み係止片を摺接させるガイド部が形成されていることを特徴とする電線カバー。
【請求項６】
前記撓み係止片には、前記両半割体の合体方向と平行に連続して延びた形態の摺接部が形成され、前記両半割体が合体した状態では、前記摺接部が前記ガイド部に対して合体方向と平行な所定領域に亘って線接触又は面接触可能な構成としたことを特徴とする請求項５記載の電線カバー。
【請求項７】
前記ガイド部が、前記両半割体の合体方向と交差する方向に離間して一対設けられ、その一対のガイド部が前記撓み係止片を挟むようになっていることを特徴とする請求項６記載の電線カバー。
【請求項８】
前記２つの半割体は、夫々、互いに略直角をなす２つの外面を有する略Ｌ字形をなしており、
前記第１半割体における前記２つの互いに略直角な外面には、夫々、前記撓み係止片が形成され、
前記第２半割体における前記２つの互いに略直角な外面には、夫々、前記係止突起とガイド部とが形成され、
前記ガイド部における前記撓み係止片の進入端部には、その対をなす前記ガイド部間の幅を広げる形態の切欠部が形成されていることを特徴とする請求項７記載の電線カバー。
【発明の詳細な説明】
【０００１】
【発明の属する技術分野】
本発明は、電線カバー及び電線カバーを備えたコネクタに関する。
【０００２】
【従来の技術】
ハウジングから導出させた電線をＬ字状に曲げて配索する場合、電線カバーが用いられる。その一例として、互いに別体部品として成形された一対の半割体からなるものがあり、ハウジングから導出された電線を包むように２つの半割体を合体させることで電線カバーが構成される。
【０００３】
２つの半割体を合体状態に保持する手段として、一方の半割体に他方の半割体に向かって突出する撓み係止片を形成し、他方の半割体の外面に係止突起を形成し、この撓み係止片を弾性撓みさせつつ係止突起に係止させることにより、両半割体は離脱不能にロックされる。
尚、半割体を合体させた電線カバーとしては、特許文献１などに開示されているのものがある。
【０００４】
【特許文献１】
特開平１０−２７６４５号公報
【０００５】
【発明が解決しようとする課題】
上記のように２つの半割体が互いに別体の部品である場合、撓み係止片と係止突起とを位置合わせするのは困難である。特に、半割体がＬ字形をなしていて、その互いに直角な２つの面の双方に、夫々、撓み係止片が配されている場合には、双方の撓み係止片の弾性撓み方向が直角方向となるため、一方の撓み係止片の弾性復元力によって他方の撓み係止片が係止突起に対して位置ずれし易くなり、ますます、位置合わせが困難となって作業性が低下する。
本願発明は上記事情に鑑みて創案され、半割体を合体状態に保持する手段である撓み係止片と係止突起とを係止させる際の作業性向上を図ることを目的としている。
【０００６】
【課題を解決するための手段】
請求項１の発明は、ハウジングにおける電線の導出端部に電線カバーを取り付け、そのハウジングから導出した前記電線を前記電線カバーで包囲するようになっており、前記電線カバーは、第１と第２の２つの半割体を有し、前記電線を包囲するように前記２つの半割体を合体させた形態とされ、前記第１半割体には、前記第２半割体側に向かって前記第２半割体との合体方向と略同方向に突出する形態の撓み係止片が形成され、前記第２半割体には、その前記第１半割体との合体方向と略平行な面から突出する係止突起が形成され、前記撓み係止片と前記係止突起との係止により前記両半割体が合体状態に保持されるようになつているコネクタにおいて、前記第２半割体には、前記２つの半割体の合体方向と平行に連続して延びた形態であって、合体の際に前記撓み係止片を摺接させるガイド部が形成されている構成とした。
【０００７】
請求項２の発明は、請求項１の発明において、前記撓み係止片には、前記両半割体の合体方向と平行に連続して延びた形態の摺接部が形成され、前記両半割体が合体した状態では、前記摺接部が前記ガイド部に対して合体方向と平行な所定領域に亘って線接触又は面接触可能な構成とした。
請求項３の発明は、請求項２の発明において、前記ガイド部が、前記両半割体の合体方向と交差する方向に離間して一対設けられ、その一対のガイド部が前記撓み係止片を挟むようになっている構成とした。
【０００８】
請求項４の発明は、請求項３の発明において、前記２つの半割体は、夫々、互いに略直角をなす２つの外面を有する略Ｌ字形をなしており、前記第１半割体における前記２つの互いに略直角な外面には、夫々、前記撓み係止片が形成され、前記第２半割体における前記２つの互いに略直角な外面には、夫々、前記係止突起とガイド部とが形成され、前記ガイド部における前記撓み係止片の進入端部には、その対をなす前記ガイド部間の幅を広げる形態の切欠部が形成されている構成とした。
【０００９】
請求項５の発明は、ハウジングにおける電線の導出端部に取り付けられ、そのハウジングから導出した前記電線を包囲するものであって、第１と第２の２つの半割体を有し、前記電線を包囲するように前記２つの半割体を合体させた形態とされ、前記第１半割体には、前記第２半割体側に向かって前記第２半割体との合体方向と略同方向に突出する形態の撓み係止片が形成され、前記第２半割体には、その前記第１半割体との合体方向と略平行な面から突出する係止突起が形成され、前記撓み係止片と前記係止突起との係止により前記両半割体が合体状態に保持されるようになつている電線カバーにおいて、前記第２半割体には、前記２つの半割体の合体方向と平行に連続して延びた形態であって、合体の際に前記撓み係止片を摺接させるガイド部が形成されている構成とした。
【００１０】
請求項６の発明は、請求項５の発明において、前記撓み係止片には、前記両半割体の合体方向と平行に連続して延びた形態の摺接部が形成され、前記両半割体が合体した状態では、前記摺接部が前記ガイド部に対して合体方向と平行な所定領域に亘って線接触又は面接触可能な構成とした。
請求項７の発明は、請求項６の発明において、前記ガイド部が、前記両半割体の合体方向と交差する方向に離間して一対設けられ、その一対のガイド部が前記撓み係止片を挟むようになっている構成とした。
【００１１】
請求項８の発明は、請求項７の発明において、前記２つの半割体は、夫々、互いに略直角をなす２つの外面を有する略Ｌ字形をなしており、前記第１半割体における前記２つの互いに略直角な外面には、夫々、前記撓み係止片が形成され、前記第２半割体における前記２つの互いに略直角な外面には、夫々、前記係止突起とガイド部とが形成され、前記ガイド部における前記撓み係止片の進入端部には、その対をなす前記ガイド部間の幅を広げる形態の切欠部が形成されている構成とした。
【００１２】
【発明の作用及び効果】
［請求項１及び請求項５の発明］
２つの半割体を合体させる際に、撓み係止片は、ガイド部への摺接により、第２半割体に対して位置決めされつつ合体方向と略同方向に移動することができる。これにより、両半割体が位置ずれすることなく合体されるとともに、撓み係止片が確実に係止突起に係止される。
［請求項２及び請求項６の発明］
合体の過程及び合体が完了した状態では、摺接部とガイド部が合体方向と平行な所定領域に亘って連続的に当接した線接触又は面接触状態を保つことが可能なので、２つの半割体が合体方向に対して斜め姿勢となることが規制され、これにより２つの半割体がガタ付きを生じたり、半割体が開いたりすることが防止される。
【００１３】
［請求項３及び請求項７の発明］
一対のガイド部が撓み係止片を挟むので、撓み係止片の位置ずれを確実に防止することができる。
［請求項４及び請求項８の発明］
両半割体の合体の際に、互いに略直角な２つの外面のうち一方の外面のみで撓み係止片と係止突起との係止を行うと、その撓み係止片と係止突起との係止部分を略支点として２つの半割体が斜め姿勢となり、他方の外面においては撓み係止片と係止突起とが斜めに対応するようになる。このとき、他方の外面のガイド部における撓み係止片の進入端部では、切欠部を形成したことによってそのガイド部間の幅が広げられているので、撓み係止片は、一対のガイド部と干渉することなくその両ガイド部の間に進入することができる。
【００１４】
そして、この状態から、一方の外面における撓み係止片と係止突起との係止部分を支点として２つの半割体を正対させるように姿勢を戻しつつ合体させると、他方の外面において撓み係止片と係止突起の係止が行われる。このとき、他方の外面においては２つのガイド部が撓み係止片を挟んだ状態を保つので、半割体同士が位置ずれすることはなく、また、一方の外面における撓み係止片と係止突起との係止が外れることもない。
【００１５】
このように、本発明によれば、複数の撓み係止片を一斉に弾性撓みさせる必要がなく、撓み係止片と係止突起との係止工程を各外面毎に別々に行うことができるので、合体する際の作業性がよい。
【００１６】
【発明の実施の形態】
［実施形態１］
以下、本発明を具体化した実施形態１を図１乃至図９を参照して説明する。
本実施形態のコネクタは、複数の端子金具（図示せず）を収容したハウジングＨと、このハウジングＨに取り付けられる略Ｌ字形をなす筒状の電線カバーＣとを備えて構成されており、ハウジングＨの上端面からは、各端子金具に接続された電線Ｗが上方へ導出されている。導出された電線Ｗは、ハウジングＨにおける電線Ｗの導出端である上端部に組み付けられた電線カバーＣで包囲され、その電線カバーＣの内部で下前きに曲げられ、電線カバーＣから前方へ突出されるようになっている。
【００１７】
電線カバーＣは、合成樹脂製であって、互いに別体部品として成形された左右一対の半割体１０，２０からなる。この２つの半割体１０，２０を左右方向に接近させつつ合体させることによって、略Ｌ字形の筒状をなす電線カバーＣが構成される。尚、電線カバーＣの正面（図１を参照）に向かって左側に位置する半割体を第１半割体１０とし、右側に位置する半割体を第２半割体２０とする。
第１半割体１０は、全体として箱状をなし、前方及び下方に突出するようにＬ字形に曲がった形状の側板１１には、その曲げの外側となる外縁に沿って上壁１２と後壁１３が形成されているとともに、曲げの内側となる内縁に沿って下壁１４と前壁１５が形成されている。上壁１２の上面１２Ｓ（外面）と下壁１４の下面１４Ｓ（外面）とは、後壁１３の後面１３Ｓ（外面）に対して略直角な方向を向いている。また、これらの壁１２〜１５の突出端面は第２半割体２０との合せ面１６となっている。
【００１８】
上壁１２には、その上面（外面）に基端部を支持され、且つ上面１２Ｓに沿って合せ面１６よりも第２半割体２０側に向かって突出した形態の上面側撓み係止片１７が形成されている。上面側撓み係止片１７は、上壁１２から第２半割体２０との合体方向と平行（左右方向）に直線状に細長く延出する前後一対の摺接部１７ａと、この両摺接部１７ａの延出端同士を連結した形態の前後方向に細長い連結部１７ｂとからなり、上から視ると略Ｕ字形（略「コ」字形）をなしていて、その中央が係止孔１７ｃとなっている。
【００１９】
下壁１４には、その下面１４Ｓ（外面）に基端部を支持され、且つ下面１４Ｓに沿って合せ面１６よりも第２半割体２０側に向かって突出した形態の下面側撓み係止片１８が形成されている。下面側撓み係止片１８は、下壁１４から第２半割体２０との合体方向と平行（左右方向）に直線状に細長く延出する前後一対の摺接部１８ａと、この両摺接部１８ａの延出端同士を連結した形態の前後方向に細長い連結部１８ｂとからなり、下から視ると略Ｕ字形（略「コ」字形）をなしていて、その中央が係止孔１８ｃとなっている。尚、この下面側撓み係止片１８と上記上面側撓み係止片１７とは、側板１１を挟んで上下対称の関係となっている。
【００２０】
後壁１３には、その後面１３Ｓ（外面）に基端部を支持され、且つ後面１３Ｓに沿って合せ面１６よりも第２半割体２０側に向かって突出した形態の後面側撓み係止片１９が形成されている。後面側撓み係止片１９は、後壁１３から第２半割体２０との合体方向と平行（左右方向）に直線状に細長く延出する上下一対の摺接部１９ａと、この両摺接部１９ａの延出端同士を連結した形態の上下方向に細長い連結部１９ｂとからなり、後方から視ると略Ｕ字形（略「コ」字形）をなしていて、その中央が係止孔１９ｃとなっている。
【００２１】
第２半割体２０も、第１半割体１０と同様、全体として箱状をなし、前方及び下方に突出するようにＬ字形に曲がった形状の側板２１には、その曲げの外側となる外縁に沿って上壁２２と後壁２３が形成されているとともに、曲げの内側となる内縁に沿って下壁２４と前壁２５が形成されている。上壁２２の上面２２Ｓ（外面）と下壁２４の下面２４Ｓ（外面）とは、後壁２３の後面２３Ｓ（外面）に対して略直角な方向を向いている。また、これらの壁２２〜２５の突出端面は第１半割体１０との合せ面２６となっている。かかる第２半割体２０と上記第１半割体１０とは、上記撓み係止片１７，１８，１９と後述する係止突起２７，２８，２９とを除いて概ね左右対称な形態となっている。
【００２２】
上壁２２には、その上面２２Ｓ（外面）から突出する上面側係止突起２７が形成されている。上面側係止突起２７における第１半割体１０側の側面は、両半割体１０，２０の合体方向に対して傾斜したテーパ面２７ａとなっており、上面側係止突起２７における第１半割体１０と反対側の側面は、両半割体１０，２０の合体方向に対して略直角な係止面２７ｂとなっている。かかる上面側係止突起２７は両半割体１０，２０が合体した状態において上面側撓み係止片１７の係止孔１７ｃと嵌合し、この嵌合により、両半割体１０，２０の上壁１２，２２が、その合せ面１６，２６同士を突き合わせ、且つ上面１２Ｓ，２２Ｓ同士が面一状に連なった状態に保持される。
【００２３】
同じく上壁２２の上面２２Ｓには、上面側係止突起２７の前後両側に位置し、両半割体１０，２０の合体方向と平行に直線状に且つ連続的に延びる前後一対のガイド部３０が形成されている。この両ガイド部３０の前後方向の間隔は、上面側撓み係止片１７の前後方向の幅寸法と同じかそれよりも僅かに大きい寸法とされている。また、両ガイド部３０における上面側撓み係止片１７の進入端部は、上壁２２の立ち上がり端面（合せ面２７）の近くに位置し、その進入端部には、両ガイド部３０間の間隔を拡大させるための切欠部３０ａが形成されている。また、上面２２Ｓからのガイド部３０の高さは上面側撓み係止片１７の厚さとほぼ同じ寸法とされている。尚、この寸法は、上面側係止突起２７の上面２２Ｓからの突出高さよりも大きい。
【００２４】
下壁２４には、その下面２４Ｓ（外面）から突出する下面側係止突起２８が形成されている。下面側係止突起２８における第１半割体１０側の側面は、両半割体１０，２０の合体方向に対して傾斜したテーパ面２８ａとなっており、下面側係止突起２８における第１半割体１０と反対側の側面は、両半割体１０，２０の合体方向に対して略直角な係止面２８ｂとなっている。かかる下面側係止突起２８は両半割体１０，２０が合体した状態において下面側撓み係止片１８の係止孔１８ｃと嵌合し、この嵌合により、両半割体１０，２０の下壁１４，２４が、その合せ面１６，２６同士を突き合わせ、且つ下面１４Ｓ，２４Ｓ同士が面一状に連なった状態に保持される。この下面側係止突起２８と上記上面側係止突起２７とは、側板２１を挟んで上下対称の関係となっている。
【００２５】
同じく下壁２４の下面２４Ｓには、下面側係止突起２８の前後両側に位置し、両半割体１０，２０の合体方向と平行に直線状に且つ連続的に延びる前後一対のガイド部３１が形成されている。この両ガイド部３１の前後方向の間隔は、下面側撓み係止片１８の前後方向の幅寸法と同じかそれよりも僅かに大きい寸法とされている。また、両ガイド部３１における下面側撓み係止片１８の進入端部は、下壁の立ち上がり端面（合せ面２６）の近くに位置し、その進入端部には、両ガイド部３１間の間隔を拡大させるための切欠部３１ａが形成されている。また、下面２４Ｓからのガイド部３１の高さは下面側撓み係止片１８の厚さとほぼ同じ寸法とされている。尚、この寸法は、下面側係止突起２８の下面２４Ｓからの突出高さよりも大きい。
【００２６】
後壁２３には、その後面２３Ｓ（外面）から突出する後面側係止突起２９が形成されている。後面側係止突起２９における第１半割体１０側の側面は、両半割体の合体方向に対して傾斜したテーパ面２９ａとなっており、後面側係止突起２９における第１半割体１０と反対側の側面は、両半割体１０，２０の合体方向に対して略直角な係止面２９ｂとなっている。かかる後面側係止突起２９は両半割体１０，２０が合体した状態において後面側撓み係止片１９の係止孔１９ｃと嵌合し、この嵌合により、両半割体１０，２０の後壁１３，２３が、その合せ面１６，２６同士を突き合わせ、且つ後面１３Ｓ，２３Ｓ同士が面一状に連なった状態に保持される。
【００２７】
同じく後壁２３の後面２３Ｓには、後面側係止突起２９の上下両側に位置し、両半割体１０，２０の合体方向と平行に直線状に且つ連続的に延びる上下一対のガイド部３２が形成されている。この両ガイド部３２の上下方向の間隔は、後面側撓み係止片１９の上下方向の幅寸法と同じかそれよりも僅かに大きい寸法とされている。また、両ガイド部３２における後面側撓み係止片１９の進入端部は、後壁の立ち上がり端面（合せ面２６）の近くに位置し、その進入端部には、両ガイド部３２間の間隔を拡大させるための切欠部３２ａが形成されている。また、後面２３Ｓからのガイド部３２の高さは後面側撓み係止片１９の厚さとほぼ同じ寸法とされている。尚、この寸法は、後面側係止突起２９の後面２３Ｓからの突出高さよりも大きい。
【００２８】
次に、本実施形態の作用を説明する。
両半割体１０，２０を合体させる際には、両半割体１０，２０を、側板１１，２１同士が平行となる姿勢（上壁１２，２２同士と後壁１３，２３同士が互いに面一となる姿勢）を保ちつつ左右方向に接近させる。すると、３つの撓み係止片１７，１８，１９の連結部１７ｂ，１８ｂ，１９ｂ及び摺接部１７ａ，１８ａ，１９ａの延出端が、夫々、対応するガイド部３０，３１，３２の進入端部に進入する。このとき、撓み係止片１７，１８，１９がガイド部３０，３１，３２に対して位置ずれいちしても、切欠部３０ａ，３１ａ，３２ａのテーパ面によって正規の位置へ矯正される。更に、両半割体１０，２０を接近させると、各撓み係止片１７，１８，１９における一対の摺接部１７ａ，１８ａ，１９ａが、夫々、対応する一対のガイド部３０，３１，３２に対してその間に挟まれるようにしつつ摺接し、この摺接によって、ガイド部３０，３１，３２に対する撓み係止片１７，１８，１９の位置ずれが規制される。
【００２９】
摺接する間、上面側撓み係止片１７と下面側撓み係止片１８が、夫々、ガイド部３０，３１に挟まれることによって両半割体１０，２０の前後方向の相対変位が規制され、後面側撓み係止片１９がガイド部３２に挟まれることによって両半割体１０，２０の上下方向への相対変位が規制される。これにより、両半割体１０，２０は前後方向と上下方向のいずれの方向（合体方向と交差する方向）への相対変位が規制され、正しい位置関係を保つ。
【００３０】
尚、摺接する間、連結部１７ｂ，１８ｂ，１９ｂがテーパ面２７ａ，２８ａ，２９ａに乗り上がるために撓み係止片１７，１８，１９は係止突起２７，２８，２９及びガイド部３０，３１，３２の形成されている面から離間する方向へ弾性撓みするのであるが、係止突起２７，２８，２９の高さはガイド部３０，３１，３２の高さよりも低いので、撓み係止片１７，１８，１９がガイド部３０，３１，３２から外れることはない。
【００３１】
そして、両半割体１０，２０が正規の合体状態に至ると、連結部１７ｂ，１８ｂ，１９ｂが係止突起２７，２８，２９を一斉に通過するため、３つの撓み係止片１７，１８，１９も一斉に弾性復帰して係止突起２７，２８，２９に対して正規の係止状態となる。これらの係止作用により、両半割体１０，２０が合体状態にロックされる。
次に、上記とは別の合体方法について説明する。
この場合は、両半割体１０，２０を前側が互いに離間する姿勢で接近させ、図７に示すように、双方の後壁１３，２３の合せ面１６，２６同士を当接又は接近させるとともに、後面側撓み係止片１９の係止孔１９ｃに対して後面側係止突起２９を斜めに嵌合させる。すると、連結部１９ｂと係止面２９ｂとの係止により、後壁１３，２３同士が左右に離間しないように仮保持された状態となる。
【００３２】
尚、後面側撓み係止片１９を後面側係止突起２９に係止させる際には、連結部１９ｂ及び摺接部１９ａの延出端部を上下一対のガイド部３２の間に嵌合させるようにすれば、第１半割体１０と後面側撓み係止片１９が第２半割体２０と後面側係止突起２９に対して上下方向に位置決めされるので、後面側撓み係止片１９と後面側係止突起２９とを確実に仮係止させることができる。
この状態では、上面側撓み係止片１７と下面側撓み係止片１８が、夫々、その連結部１７ｂ，１８ｂを上面側係止突起２７と下面側係止突起２８のテーパ面２７ａ，２８ａに当接させるとともに、後面側撓み係止片１９及び後面側係止突起２９との係止部分に近い後側（図７における下側）の摺接部１７ａ，１８ａの延出端部を、ガイド部３０，３１の進入端部に対して斜めに当接させる。ガイド部３０，３１の進入端部には切欠部３０ａ，３１ａが形成されているので、撓み係止片１７，１８がガイド部３０，３１に対して斜めになっていても、コジリを生じることはない。
【００３３】
この状態では、第１及び第２の両撓み係止片１７，１８と後面側撓み係止片１９との間で第２半割体２０が前後方向（図７における上下方向）に挟まれた状態となるので、両半割体１０，２０の前後方向への相対変位が規制させる。また、上面側撓み係止片１７と下面側撓み係止片１８との間において第２半割体２０が上下方向に挟まれるとともに、後面側撓み係止片１９がガイド部３２の間で上下に挟まれた状態となっているので、両半割体１０，２０の上下方向への相対変位も規制される。
【００３４】
あとは、両半割体１０，２０を、合せ面１６，２６同士が正対するように（後壁１３，２３同士が面一となるように）、後面側撓み係止片１９と後面側係止突起２９との係止部分を支点として姿勢変化させつつ接近させると、図５に示す正規の合体状態となる。このとき、上面側撓み係止片１７と下面側撓み係止片１８は、夫々、弾性撓みしつつ上面側係止突起２７と下面側係止突起２８に乗り上がるが、双方の撓み係止片１７，１８の弾性撓み方向は互いに反対方向なので、半割体１０，２０同士が上下に位置ずれする虞はない。また、両撓み係止片１７，１８は、夫々、ガイド部３０，３１の間で前後に挟まれた状態となるので、両半割体１０，２０が前後に位置ずれすることもない。
【００３５】
そして、摺接部１７ａ，１８ａがガイド部３０，３１に対して摺接することにより、両撓み係止片１７，１８が案内されつつ係止突起２７，２８との係止を進め、両半割体１０，２０が正規の嵌合状態に至ると、連結部１７ｂ，１８ｂが係止突起２７，２８を通過して撓み係止片１７，１８が弾性復帰し、係止孔１７ｃ，１８ｃと係止突起２７，２８とが嵌合する。また、後面側撓み係止片１９も第２半割体２０の後面２３Ｓに対して平行に重なって、その係止孔１９ｃが後面側係止突起２９に対して正規の係止状態となる。以上により、３つの撓み係止片１７，１８，１９が全て係止突起２７，２８，２９と正規に係止する状態となり、もって、両半割体１０，２０が合体状態にロックされる。
【００３６】
この方法によれば、３つの撓み係止片１７，１８，１９を一斉に弾性撓みさせる必要がなく、撓み係止片１７，１８，１９と係止突起２７，２８，２９との係止工程を各外面毎に別々に行うことができるので、合体する際の撓み係止片１７，１８，１９の弾性復元力に起因する抵抗が低減され、作業性がよい。
上述のように本実施形態によれば、２つの半割体１０，２０を合体させる過程では、撓み係止片１７，１８，１９が、ガイド部３０，３１，３２への摺接により、第２半割体２０に対して位置決めされつつ合体方向と略同方向に移動することができるので、両半割体１０，２０が前後及び上下のいずれの方向へも位置ずれすることなく容易且つ確実に合体されるとともに、撓み係止片１７，１８，１９が確実に係止突起２７，２８，２９に係止される。したがって、作業性に優れている。
【００３７】
しかも、合体の過程では、摺接部１７ａ，１８ａ，１９ａとガイド部３０，３１，３２が合体方向と平行な所定領域に亘って連続的に当接した面接触状態を保つことが可能であるので、両半割体１０，２０が合体方向に対して斜め姿勢となることが規制され、これにより両半割体１０，２０がガタ付きを生じることが防止され、合体動作が確実に進む。
また、両半割体１０，２０の合体が完了した状態においても、摺接部１７ａ，１８ａ，１９ａとガイド部３０，３１，３２が合体方向と平行な所定領域に亘って連続的に当接した面接触状態に保たれるので、２つの半割体１０，２０が合体方向に対して斜め姿勢となることが規制され、両半割体１０，２０がガタ付きを生じたり開いたりすることが防止される。
【００３８】
また、一対のガイド部３０，３１，３２が、夫々、撓み係止片１７，１８，１９を挟むようになっているので、撓み係止片１７，１８，１９の位置ずれを確実に防止することができる。
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
【００３９】
（１）上記実施形態では係止突起を半割体の外面に形成したが、本発明によれば、係止突起は半割体の内面に形成してもよい。
（２）上記実施形態では撓み係止片を半割体の外面に重なるように設けたが、本発明によれば、半割体の内面側に重なる形態としてもよい。
（３）上記実施形態では電線カバーが略Ｌ字形をなす場合について説明したが、本発明は、Ｌ字形に限らず、略Ｉ字形をなす場合にも適用できる。
【００４０】
（４）上記実施形態では摺接部とガイド部との摺接形態を面接触としたが、本発明によれば、摺接部とガイド部のいずれか一方が合体方向と平行な平面状をなし、他方が合体方向と平行なエッジ状をなすことで、双方が線接触するようにしてもよい。
（５）上記実施形態では摺接部を合体方向と平行な所定領域に亘って連続する形態としたが、本発明によれば、摺接部をピンポイント状に突出する形態とし、そのピンポイント状の突起をガイド部に摺接させるようにしてもよい。
【００４１】
（６）上記実施形態では一対のガイド部が撓み係止片を両側から挟む形態としたが、本発明によれば、第２半割体に合体方向と平行なリブを形成するとともに、撓み係止片に合体方向と平行な溝を設け、その溝とリブを嵌合させるようにしてもよい。この場合、溝とリブは１本ずつ形成すれば済む。
（７）上記実施形態では一方の半割体（第１半割体）に撓み係止片のみを設け、他方の半割体（第２半割体）に係止突起のみを設けたが、本発明によれば、第１半割体に撓み係止片と係止突起の両方を設け、第２半割体にも係止突起と撓み係止片の両方を設けてもよい。
【図面の簡単な説明】
【図１】実施形態１において電線カバーをハウジングに組み付けた状態の正面図
【図２】電線カバーをハウジングに組み付けた状態の右側面図
【図３】半割体を合体した状態の背面図
【図４】半割体を合体した状態の平面図
【図５】半割体を合体した状態の底面図
【図６】半割体を分離した状態の底面図
【図７】半割体が斜め姿勢となった合体途中の状態をあらわす底面図
【図８】第１半割体の右側面図
【図９】第２半割体の右側面図
【符号の説明】
Ｈ…ハウジング
Ｗ…電線
Ｃ…電線カバー
１０…第１半割体
１２Ｓ…上面（外面）
１３Ｓ…後面（外面）
１４Ｓ…下面（外面）
１７…上面側撓み係止片
１７ａ，１８ａ，１９ａ…摺接部
１８…下面側撓み係止片
１９…後面側撓み係止片
２０…第２半割体
２７…上面側係止突起
２８…下面側止突起
２９…後面側係止突起
３０，３１，３２…ガイド部
３０ａ，３１ａ，３２ａ…切欠部
【図１】
2004296122.tif 000003
【図２】
2004296122.tif 000004
【図３】
2004296122.tif 000005
【図４】
2004296122.tif 000006
【図５】
2004296122.tif 000007
【図６】
2004296122.tif 000008
【図７】
2004296122.tif 000009
【図８】
2004296122.tif 000010
【図９】
2004296122.tif 000011